(57)【要約】【課題】脂質二重膜を持つ計測器具の温度を室温よりも高く設定できる温度制御装置であって、計測器具を用いた電流測定値に対するノイズが小さく、小型化が可能で可搬性に優れ、簡便に操作できる、脂質二重膜含有計測器具の温度制御装置を提供すること。【解決手段】温度制御装置は、底部に配置される脂質二重膜含有計測器具を囲包するための装置本体と、装置本体の頂部に配置されるランプと、装置本体の内部であって計測器具の近傍に配置される温度センサーと、温度センサーに接続される温度調節器と、ランプに電力を供給するランプ電源回路とを具備し、ランプ電源回路は、交流電源に接続されるスイッチング電源と、スイッチング電源に直列に接続されるシリーズレギュレータとを具備し、スイッチング電源、シリーズレギュレータ、温度調節器、ランプが直列に接続された加熱用回路を具備する。ランプ電源回路及び温度調節器は、装置本体の外部に配置される。【選択図】図２
2020008413.tif 000002
【特許請求の範囲】
【請求項１】
底部に配置される脂質二重膜含有計測器具を囲包するための装置本体と、
該装置本体の頂部に配置されるランプと、
前記装置本体の内部であって前記計測器具の近傍に配置される温度センサーと、
該温度センサーに接続される温度調節器と、
前記ランプに電力を供給するランプ電源回路とを具備し、
該ランプ電源回路は、交流電源に接続される第１のスイッチング電源と、該第１のスイッチング電源に直列に接続される第１のシリーズレギュレータとを具備し、
前記第１のスイッチング電源、前記第１のシリーズレギュレータ、前記温度調節器、前記ランプが直列に接続された加熱用回路を具備し、
前記ランプ電源回路及び前記温度調節器は、前記装置本体の外部に配置される、脂質二重膜含有計測器具の温度制御装置。
【請求項２】
前記加熱用回路に接続される電圧・電流計と、該電圧・電流計を作動させる操作用電源回路をさらに具備し、該操作用電源回路は、交流電源に接続される第２のスイッチング電源と、該第２のスイッチング電源に直列に接続される第２のシリーズレギュレータを具備する、請求項１記載の装置。
【請求項３】
前記加熱回路中、前記ランプの上流に、負の温度係数を示すサーミスタが直列に接続されている、請求項１又は２記載の装置。
【請求項４】
前記ランプがハロゲンランプである、請求項１〜３のいずれか１項に記載の装置。
【請求項５】
前記装置本体の外面及び／又は内面が金属層で被覆されている請求項１〜４のいずれか１項に記載の装置。
【請求項６】
前記装置本体が断熱性材料で形成されている、請求項１〜５のいずれか１項に記載の装置。
【請求項７】
前記ランプと、前記計測器具の間の距離が、１cm以上である、請求項１〜６のいずれか１項に記載の装置。
【発明の詳細な説明】
【技術分野】
【０００１】
本願発明は、脂質二重膜を具備する計測器具の温度制御装置に関する。
【背景技術】
【０００２】
生物を構成する細胞や、細胞内に存在するミトコンドリア、ゴルジ体、小胞体等の各種オルガネラ、細胞核等は、外側が生体膜で覆われており、この生体膜は、基本的に脂質二重膜から構成されている。生理活性を有する様々なタンパク質、すなわち、レセプターや酵素等がこの脂質二重膜を貫通する形で脂質二重膜上に保持されている。これらの膜貫通タンパク質は、生体内で重要な役割を果たしている。特に、細胞膜上に存在する各種レセプターは、生体内に存在するリガンドと結合することにより、様々な生理学的反応を引き起こす引き金になることがわかっている。このため、レセプターの機能を亢進する各種リガンドや、レセプターの機能を阻害する阻害剤等が医薬品として用いられており、また、新たな医薬品として利用可能な天然又は人工のリガンドや阻害剤が研究されている。また、嗅覚レセプターを脂質二重膜に保持して臭気センサーを開発する研究も行われている。
【０００３】
これらの膜貫通タンパク質や、そのリガンド、阻害剤、又は臭気センサー等を開発するためには、生体内と同じ状態、すなわち、膜貫通タンパク質が生体膜に保持された状態で各種測定を行うことが望まれる。従来より、脂質二重膜の形成方法自体は周知であり、液滴接触法、刷毛塗り法、吹き付け法及び貼り合わせ法が知られている。これらのうち、脂質二重膜形成操作が簡便で、かつ、脂質二重膜形成後の測定操作も簡便に行うことができる、液滴接触法が広く用いられている。液滴接触法では、例えば、浅い円筒状の凹部（ウェル）を２個隣接して配置し、かつ、２個のウェルが互いに接する境界部分を空隙（一辺数mm程度）としたダブルウェルチャンバーを用いる方法が知られている。この方法は、このダブルウェルチャンバーの各ウェルに脂質溶液を充填し、次いで、各ウェルに水系緩衝液を添加して脂質溶液中に緩衝液の液滴を形成させると、ウェルの境界部分で脂質溶液と緩衝液との界面が形成され、この部分に脂質二重膜が形成されることを利用するものである（特許文献１及び２）。
【先行技術文献】
【特許文献】
【０００４】
【特許文献１】特開2012-81405号公報
【特許文献２】特開2015-077559号公報
【発明の概要】
【発明が解決しようとする課題】
【０００５】
従来、このような脂質二重膜を具備する計測器具を用いた測定は、室温下で行われてきた。しかしながら、脂質二重膜は温度によって相転移を生じることが知られており、脂質二重膜の遷移状態と、脂質二重膜に保持されるレセプターや酵素等の生理活性タンパク質の機能との相関を明確にすることは、この分野での重要な研究課題の一つと考えられる。さらに、生理活性タンパク質は、その機能が最も効果的に発現される至適温度が存在するものと考えられることから、温度を変えての計測は生理活性タンパク質の新たな知見を得る重要な技術であると言える。また、多くの場合、生理活性タンパク質の至適温度は動物の体温近辺にあるから、計測は、体温近辺の温度下で行うことが望まれる場合も多い。
【０００６】
このように、脂質二重膜を具備する計測器具を用いた計測を、室温よりも高い温度下で行いたい場合が少なからず存在する。脂質二重膜を具備する計測器具を用いた計測を、室温よりも高い温度下で行おうとする場合、計測器具近傍にヒーターを配置して計測器具、ひいては脂質二重膜の温度を上げることが考えられる。しかしながら、脂質二重膜含有計測器具を用いた電流測定は、脂質二重膜を介して流れるピコアンペア(pA)オーダーの極めて微弱な電流を測定するものであり、加えて、計測器具の電気的インピーダンスは通常、ギガオーム（GΩ）程度と非常に高いために、本質的に外部からの電気的、磁気的ノイズの影響を受けやすい。実際、計測器具の近傍にヒーターを配置して加熱した場合には、ヒーターの影響により、測定される電流値のノイズが大きく、正確な電流測定に支障が出ることが見出された（下記比較例参照）。ヒーターに起因するノイズを回避するために、ヒーターを計測器具から遠く離れた場所に配置し、ヒーターで加熱した液体を計測器具近傍に循環させることが考えられるが、この場合には、液体の温度を保持するための加熱、冷却系や、輸液ポンプ、配管やバルブなどが必要で有り、システムが大がかりになり、また、温度の変更に時間がかかり、可搬性や簡便性が損なわれる。
【０００７】
したがって、本発明の目的は、脂質二重膜を具備する計測器具の温度を室温よりも高く設定できる温度制御装置であって、計測器具を用いた電流測定値に対するノイズが小さく、小型化が可能で可搬性に優れ、簡便に操作できる、脂質二重膜含有計測器具の温度制御装置を提供することである。
【課題を解決するための手段】
【０００８】
本願発明者らは、鋭意研究の結果、ランプを遠方から照射することにより脂質二重膜含有計測器具を加熱し、かつ、ランプに電力を供給する電源回路に、交流電源と接続されるスイッチング電源と、該スイッチング電源に直列に接続されるシリーズレギュレータとを含めることにより、計測器具を用いた測定電流値に対するノイズを問題がないレベルにまで下げることができ、かつ、装置を大型化させることなく、可搬性があり、簡便に用いることができる温度制御装置を提供できることを見出し、本発明を完成した。
【０００９】
すなわち、本発明は、以下のものを提供する。
【００１０】
(1)  底部に配置される脂質二重膜含有計測器具を囲包するための装置本体と、
該装置本体の頂部に配置されるランプと、
前記装置本体の内部であって前記計測器具の近傍に配置される温度センサーと、
該温度センサーに接続される温度調節器と、
前記ランプに電力を供給するランプ電源回路とを具備し、
該ランプ電源回路は、交流電源に接続される第１のスイッチング電源と、該第１のスイッチング電源に直列に接続される第１のシリーズレギュレータとを具備し、
前記第１のスイッチング電源、前記第１のシリーズレギュレータ、前記温度調節器、前記ランプが直列に接続された加熱用回路を具備し、
前記ランプ電源回路及び前記温度調節器は、前記装置本体の外部に配置される、脂質二重膜含有計測器具の温度制御装置。
(2)  前記加熱用回路に接続される電圧・電流計と、該電圧・電流計を作動させる操作用電源回路をさらに具備し、該操作用電源回路は、交流電源に接続される第２のスイッチング電源と、該第２のスイッチング電源に直列に接続される第２のシリーズレギュレータを具備する、(1)記載の装置。
(3)  前記加熱回路中、前記ランプの上流に、負の温度係数を示すサーミスタが直列に接続されている、(1)又は(2)記載の装置。
(4)  前記ランプがハロゲンランプである、(1)〜(3)のいずれか１項に記載の装置。
(5)  前記装置本体の外面又は内面が金属層で被覆されている(1)〜(4)のいずれか１項に記載の装置。
(6)  前記装置本体が断熱性材料で形成されている、(1)〜(5)のいずれか１項に記載の装置。
(7)  前記ランプと、前記計測器具の間の距離が、1cm以上である、(1)〜(5)のいずれか１項に記載の装置。
【図面の簡単な説明】
【００１１】
【図１】本発明の温度制御装置の好ましい一実施形態の模式断面図である。
【図２】温度制御装置を動作させる好ましい回路の一例を示す回路図である。
【図３】下記実施例で用いた脂質二重膜含有計測器具と、これを用いた電流値測定のためのパッチアンプ回路の回路図である。
【図４】下記実施例で測定した、本発明の温度制御装置を用いた際のノイズ電流の測定結果を示す図である。
【図５】下記実施例で得られた、脂質二重膜を介してα−ヘモリシンにより形成されたイオンチャネルを流れる電流の測定結果を示す図である。
【図６】下記比較例で作製した温度制御装置の回路図である。
【図７】下記比較例において測定した、比較例の温度制御装置を用いた際のノイズ電流の測定結果を示す図である。
【図８】下記比較例において作製したヒーターの回路図である。
【図９】下記比較例において測定した、比較例の温度制御装置を用いた際のノイズ電流の測定結果を示す図である。
【発明を実施するための形態】
【００１２】
以下、図面を参照して本発明の好ましい実施形態について説明する。
【００１３】
図１は、本発明の温度制御装置の好ましい一実施形態の模式断面図である。装置本体１０は、例えば天井板を有する縦長の円筒状であり、底面はなくてもよいが、着脱可能な底面を有していてもよい。もっとも、底面はない方が構造が単純で、計測操作も行い易いので好ましい。また、円筒状のパイプに、円筒の直径以上の直径を有する板（フランジ）を載置することにより天井板とすることもできる。装置本体１０は、例えばアクリル樹脂等の断熱性のある材料で形成することが好ましい。装置本体１０が円筒状の場合、その内径は、好ましくは3cm〜10cm程度、さらに好ましくは4cm〜8cm程度であり、高さ（内寸）は、好ましくは5cm〜15cm程度、さらに好ましくは6cm〜12cm程度である。装置本体１０の外面及び／又は内面は、例えばアルミ箔のような金属層１２で被覆し、さらに好ましくは該金属層１２を接地して、装置本体１０内部を電磁波からシールドすることが好ましい。
【００１４】
装置本体１０の内部の底部には、脂質二重膜含有計測器具１４が配置される。計測器具１４は、特許文献１及び特許文献２等に記載されている、ダブルウェルチャンバー(DWC)型の周知の計測器具であってよいがこれに限定されるものではない。図１に示す実施形態では、計測器具１４の電極に接続された配線を含み、外部の計測用回路に接続されるコネクタ１６上に載置されている。コネクタ１６は、装置本体の底部側面に設けられた切欠きを貫通して外部の計測用回路に接続される。計測に用いられる計測用回路は、周知のものでよく、下記実施例にも具体的に記載されている。なお、装置本体１０が底面を有していない場合には、コネクタ１６は、机上に載置される。なお、計測器具１４は、必ずしもコネクタ１６上に配置する必要はなく、直接机上又は底面上に配置することも可能である。
【００１５】
装置本体１０の頂部には、ランプ１８が配置される。ランプ１８は、そのソケット部１８ａが、装置本体１０の天井を貫通して外部に露出しており、後述する電源回路と接続され、直流電圧が給電される。ランプ１８は、反射鏡１８ｂを有するものが好ましい。反射鏡１８ｂを有する場合、ランプ１８から発せられる赤外線等の光線を反射鏡１８ｂで反射して下向きの光線とすることができ、これによって、測定器具１４の加熱を効率的に行うことができる。ランプ１８としては、市販のハロゲンランプを好ましく用いることができる。ハロゲンランプを用いる場合、ハロゲンランプの消費電力は、特に限定されないが、通常、20ワット〜100ワット程度、好ましくは30ワット〜50ワット程度である。また、計測器具１４による測定時のノイズをできるだけ小さくするため、計測器具１４とランプ１８との距離は、ある程度離れていることが好ましい。計測器具１４とランプ１８の距離（最も近くなる部分同士を結ぶ最短距離）は、1cm以上が好ましく、さらには2cm以上が好ましい。もっとも、この距離が大きすぎると加熱効率が低下するので、この距離は、好ましくは10cm以下、さらに好ましくは4cm以下である。
【００１６】
計測器具１４の近傍には、温度センサー２０が配置されている。温度センサー２０は、計測器具１４の温度を測定するものであるから、できるだけ計測器具１４の近傍に配置することが好ましい。両者間の距離（最も近くなる部分同士を結ぶ最短距離）は、100mm以下が好ましく、50mm以下がより好ましく、10mm以下がさらに好ましく、8mm以下が特に好ましい。温度センサー２０は、後述する温度調節器に接続される。なお、温度センサー自体は周知であり、多数のものが市販されているので、市販品を好ましく利用することができる。
【００１７】
次に、温度制御装置を動作させる好ましい回路の一例を説明する。好ましい回路の一例の回路図を図２に示す。ランプ１８に直流電圧を給電するランプ電源回路は、交流電源に接続される第１のスイッチング電源２２と、該第１のスイッチング電源２２に直列に接続される第１のシリーズレギュレータ２４とを具備する。交流電源は、家庭用のAC100V電源を好ましく利用することができる。第１のシリーズレギュレータ２４は、出力可変シリーズレギュレータであることが好ましい。なお、スイッチング電源は、フィードバック回路によって半導体スイッチ素子のオン・オフ時間比率をコントロールすることにより安定的に交流電源を直流電源に変換する装置である。また、シリーズレギュレータは負荷に直列に電圧制御素子が接続された、降圧のみ可能な連続電流の定電圧直流電源回路であり、トランジスタ等の素子を負荷と直列に入れて、高過ぎる電圧の分だけ電力をそこで消費し電圧降下を発生させることで、負荷に一定の電圧がかかるよう調整するものである。スイッチング電源及びシリーズレギュレータ自体は周知であり、多数のものが市販されているので、市販品を好ましく利用することができる。第１のスイッチング電源及び第１のシリーズレギュレータの定格出力は、用いるランプの出力に応じて適宜選択することができ、下記実施例にも定格値の一例が具体的に記載されている。なお、下記実施例及び比較例において具体的に示されるように、第１のスイッチング電源２２に加え、さらに第１のシリーズレギュレータ２４を設置することにより、計測時のノイズを大幅に低減できることが見出された。
【００１８】
シリーズレギュレータ２４には、温度調節器２６が接続される。また、上記のとおり、温度センサー２０も、温度調節器２６に接続される。温度調節器２６は、温度センサー２０により検知される温度が設定値に達すると回路を切断し、該温度が設定よりも低くなると回路を再接続するものであり、これにより、温度センサー２０近傍の温度が設定値近傍に維持される。温度調節器自体は周知であり、多数の市販品があるので、市販品を好ましく利用することができる。
【００１９】
以上のように、第１のスイッチング電源２２、第１のシリーズレギュレータ２４、温度調節器２６、ランプ１８が直列に接続され、これにより加熱用回路が形成される。なお、前記ランプ電源回路及び温度調節器２６は、装置本体１０の外部に配置される。
【００２０】
上記した構成により、本発明の温度制御装置は動作するが、動作状態をモニターし、必要に応じて第１のスイッチング電源や第１のシリーズレギュレータの出力を調整することが可能になるように、上記加熱用回路に、電圧・電流計２８を直列に接続することが好ましい。計測時のノイズ低減の観点から、電圧・電流計２８の動作に必要な電源回路（操作用電源回路）は、上記したランプ電源回路とは別系統の電源回路を別途設けることが好ましい。図２に示す好ましい実施形態では、交流電源に接続される第２のスイッチング電源３０と、該第２のスイッチング電源に直列に接続される第２のシリーズレギュレータ３２を具備する。この第２のシリーズレギュレータ３２に電圧・電流計２８を接続して電圧・電流計２８に給電する。
【００２１】
また、上記構成において、ランプ１８としてハロゲンランプを用いる場合、ハロゲンランプは非通電時の抵抗値が低く、通電の際に突入電流が流れることが往々にしてある。この突入電流が流れると、第１のシリーズレギュレータの保護機能が働き、その出力が遮断されることがある。この現象を防ぐため、ハロゲンランプを用いる場合には、負の温度係数を示すサーミスタ３４をハロゲンランプに直列に接続することが好ましい。ここで、「負の温度係数を示す」とは、低温時には抵抗が大きく、温度が高くなるにつれて抵抗が小さくなることを意味する。負の温度係数を示すサーミスタ３４を接続すると、低温の非通電状態においてはサーミスタ３４の抵抗値が大きいので突入電流を低減することができ、これにより第１のシリーズレギュレータ２４が出力を遮断することが防止され、一方、温度が高くなった通電時には、サーミスタ３４の抵抗が小さくなってランプ１８の点灯に支障はない。
【００２２】
使用時には、計測器具１４とコネクタ１６を接続し、計測器具のDWCに必要な液体を入れて２つのウェルの界面に脂質二重膜を形成すると共に、コネクタ１６に計測用回路を接続する。これを机上に置いた状態で、計測器具１４とコネクタ１６に装置本体１０を被せ、温度センサー２０を側面から挿入し、ランプ電源回路及び操作用電源回路（存在する場合）を交流電源に接続し、ランプ１８に給電する。この際、温度調節器に所望の温度を設定しておく。そうすると、ランプ１８が点灯して計測器具１４が加熱され、温度調節器により、温度センサー２０近傍の温度が設定温度付近に維持される。この状態で、計測を続けると、設定温度下で、脂質二重膜を通過する電流を測定することができる。
【００２３】
下記実施例に具体的に示されるように、本発明の温度制御装置によれば、計測時のノイズを支障のないレベルにまで低減した状態で、所望の温度下で脂質二重膜を介する電流計測を行うことができる。また、温度制御装置は、装置本体の他には、スイッチング電源やシリーズレギュレータのような小型の装置しか用いないので、温度制御装置全体を小型化することができ、容易に持ち運び可能なものである。
【００２４】
以下、本発明を実施例に基づき具体的に説明する。もっとも、本発明は下記実施例に限定されるものではない。
【実施例】
【００２５】
実施例１    温度制御装置の作製
図１に示す温度制御装置を作製した。回路は、図２に示すとおりとした。装置本体１０としては、外径55mm、高さ80mm、肉厚2mmのアクリルパイプを用いた。一端をアクリル製のフランジで閉じて天井とした。このフランジに、ハロゲンランプ１８のランプソケット１８ａを取り付け、フランジからハロゲンランプ１８をパイプ内部に懸架した。ハロゲンランプ１８としては、直径50mmの反射鏡１８ｂの付いたものであって、定格12V、35Wの市販品を用いた。アクリルパイプの底部に、温度センサー２０を挿入する貫通孔と、コネクタ１６を挿入する切欠き部を設けた。アクリルパイプの外面を家庭用の市販のアルミ箔１２で被覆し、これを接地した。
【００２６】
第１のスイッチング電源２２としては、定格16V、4Aの市販品、第２のスイッチング電源３０としては、定格15V、0.8Aの市販品を用いた。第１及び第２のシリーズレギュレータ２４、３２としては、1.2Vから入力電圧まで可変できる最大電流5Aの市販品を用いた。
【００２７】
実施例２  ノイズの計測
計測器具１４として、図３に模式的に示す計測器具を用いた。すなわち、計測器具１４は、アクリル基板中に２つのウェル３６及び３８を形成したDWC型の計測チップであり、ウェル３６の底部に電極Ａ、ウェル３８の底部に電極Ｂを設け、コネクタ１６を介して電極Ａを接地し、電極Ｂを図３に示すパッチアンプ回路に接続し、該回路の両端に流れる電流を測定することにより、両ウェル間に形成される脂質二重膜を介して流れる電流を測定するものである。なお、本実施例は、実施例１の温度制御装置に起因するノイズを計測することを目的としているので、脂質二重膜４０は形成せず、電極Ａと電極Ｂ間に、脂質二重膜４０の抵抗値と同レベルである１ＧΩの抵抗を挿入して電流測定を行った。なお、計測器具１４は、図１に示すように、コネクタ１６上に載置し、アクリルパイプの底部に配置した。計測器具１４とハロゲンランプ１８の距離は2cm、計測器具１４と温度センサー２０との距離は0.5cmであった。結果を図４に示す。
【００２８】
図４に示されるように、温度制御装置に起因する測定電流のノイズは、±0.5pA程度であり、脂質二重膜を用いた計測に支障をもたらさない、十分に小さなものであった。
【００２９】
実施例３    加温中の膜タンパク質の計測
実施例２に記載した、図３に模式的に示す計測器具１４を用いた。ウェル３６及びウェル３８のそれぞれに、20mg/mLのジフィタノイルホスファチジルコリン(DPhPC)のn-デカン溶液を4.2μLずつ滴下した。続いて両ウェルに、無細胞翻訳系（PURE frex2.0（商品名）、GeneFrontier社)にα−ヘモリシンのDNA 5 nMを溶解した溶液を、21μLずつ滴下し、液滴接触法により脂質二重膜４０を形成した。実施例１で作製した温度制御装置で計測器具１４及び電極Ａ、電極Ｂからの配線を内蔵したコネクタ１６を装置本体１０で被覆し、温度センサー２０を挿入した。温度制御装置２６の設定温度を３７℃とし、この状態でランプ１８を点灯して加熱し、脂質二重膜４０を介して流れる電流値を測定した。結果を図５に示す。
【００３０】
図５に示されるように、電流値は、階段状に増大しており、時間の経過と共に、無細胞翻訳系により生成されたα−ヘモリシン分子が脂質二重膜４０に１分子ずつ保持されてイオンチャネルが１つずつ形成されていくことが確認された。図５に示されるように、ノイズは、階段状の電流増加に比較して十分に小さく、電流測定に支障がないレベルであることが確認された。
【００３１】
比較例１
第１の出力可変シリーズレギュレータ２４を、出力電圧可変の第３のスイッチング電極４２に置き換えたことを除き、実施例１と同様な温度制御装置を作製した。この回路図を図６に示す。この温度制御装置を用いて、実施例２と同様にノイズ計測を行った。結果を図７に示す。
【００３２】
図７に示されるように、ノイズは±14pAとなり、第１のシリーズレギュレータを用いた本発明の実施例１の装置と比較して、ノイズは２８倍にもなった。
【００３３】
比較例２
定格10W、39Ωの２個のメタルクラッド抵抗４４ａ、４４ｂを60mm x 20 mm x 0.3mmの銅板４６に固定して抵抗加熱ヒーターを作製した。このヒーターの上に、図３に示す計測チップ１４を置き、さらに上記抵抗２個を並列に接続した（図８参照）。このヒーターを実施例１に記載した回路に接続して同様に通電し、実施例２と同様にノイズを計測した。結果を図９に示す。
【００３４】
図９に示すように、ノイズは±30pAとなり、計測器具による電流測定は不可能なレベルであった。
【符号の説明】
【００３５】
１０  装置本体
１２  金属層
１４  脂質二重膜含有計測器具
１６  コネクタ
１８  ランプ
２０  温度センサー
２２  第１のスイッチング電源
２４  第１のシリーズレギュレータ
２６  温度調節器
２８  電圧・電流計
３０  第２のスイッチング電源
３２  第２のシリーズレギュレータ
３４  サーミスタ
３６  ウェル
３８  ウェル
４０  脂質二重膜
４２  第３のスイッチング電極
４４ａ  メタルクラッド抵抗
４４ｂ  メタルクラッド抵抗
４６  銅板
【図１】
2020008413.tif 000003
【図２】
2020008413.tif 000004
【図３】
2020008413.tif 000005
【図４】
2020008413.tif 000006
【図５】
2020008413.tif 000007
【図６】
2020008413.tif 000008
【図７】
2020008413.tif 000009
【図８】
2020008413.tif 000010
【図９】
2020008413.tif 000011